(57)【特許請求の範囲】
【請求項１】
パケット通信網を介して電話通信の可能な複数の電話端末と、前記パケット通信網を介して前記複数の電話端末からのログイン要求を受け付ける主装置とを具備する電話システムにおいて、
前記主装置は、
同じ内線番号による前記ログイン要求が複数生じた場合に、ログインを最初に許可した電話端末とは異なるＭＡＣ（Media access control）アドレスの電話端末からのログインを拒否するＭＡＣアドレス認証により、前記電話端末ごとにログイン認証を行う認証処理部と、
ＭＡＣアドレスの異なる複数の電話端末からの同じ内線番号によるログインを同時排他的に許可する複数端末登録モードの指定を受け付けるモード指定部とを備え、
前記認証処理部は、
前記ＭＡＣアドレス認証よりも前記複数端末登録モードを優先し、前記複数端末登録モードにおいては前記ＭＡＣアドレス認証を無効にすることを特徴とする電話システム。
【請求項２】
前記主装置は、さらに、前記ＭＡＣアドレス認証よりも前記複数端末登録モードを優先する内線番号を指定するための優先度指定部を具備し、
前記認証処理部は、前記複数端末登録モードにおいては、前記優先度指定部により指定された内線番号に限り前記ＭＡＣアドレス認証を無効にすることを特徴とする請求項１に記載の電話システム。
【請求項３】
ログイン中の電話端末と同じ内線番号による別の電話端末からのログイン要求が前記複数端末登録モードにおいて生じたとき、
前記認証処理部は、前記別の電話端末からのログイン要求に対するパスワード照合が正常終了した時点以降から前記ＭＡＣアドレス認証を無効にすることを特徴とする請求項１に記載の電話システム。
【請求項４】
前記認証処理部は、前記別の電話端末からのログイン要求に応じた前記ログイン中の電話端末のログアウトが確認された時点以降から前記ＭＡＣアドレス認証を無効にすることを特徴とする請求項３に記載の電話システム。
【請求項５】
前記認証処理部は、前記ログアウトが確認されたのち当該ログアウトした電話端末の存在をログイン要求元の電話端末のユーザに通知し、この通知に対する当該ユーザの応答が与えられた時点以降から前記ＭＡＣアドレス認証を無効にすることを特徴とする請求項４に記載の電話システム。
【請求項６】
前記認証処理部は、前記別の電話端末からのログイン要求に応じた前記ログイン中の電話端末へのログアウト要求後、このログアウト要求への応答の無い状態が規定時間経過すると前記ＭＡＣアドレス認証を無効にすることを特徴とする請求項３に記載の電話システム。
【請求項７】
パケット通信網を介して電話通信の可能な複数の電話端末を具備する電話システムに設けられ、前記パケット通信網を介して前記複数の電話端末からのログイン要求を受け付ける主装置において、
同じ内線番号による前記ログイン要求が複数生じた場合に、ログインを最初に許可した電話端末とは異なるＭＡＣ（Media access control）アドレスの電話端末からのログインを拒否するＭＡＣアドレス認証により、前記電話端末ごとにログイン認証を行う認証処理部と、
ＭＡＣアドレスの異なる複数の電話端末からの同じ内線番号によるログインを同時排他的に許可する複数端末登録モードの指定を受け付けるモード指定部とを備え、
前記認証処理部は、
前記ＭＡＣアドレス認証よりも前記複数端末登録モードを優先し、前記複数端末登録モードにおいては前記ＭＡＣアドレス認証を無効にすることを特徴とする主装置。
【請求項８】
さらに、前記ＭＡＣアドレス認証よりも前記複数端末登録モードを優先する内線番号を指定するための優先度指定部を具備し、
前記認証処理部は、前記複数端末登録モードにおいては、前記優先度指定部により指定された内線番号に限り前記ＭＡＣアドレス認証を無効にすることを特徴とする請求項７に記載の主装置。
【請求項９】
ログイン中の電話端末と同じ内線番号による別の電話端末からのログイン要求が前記複数端末登録モードにおいて生じたとき、
前記認証処理部は、前記別の電話端末からのログイン要求に対するパスワード照合が正常終了した時点以降から前記ＭＡＣアドレス認証を無効にすることを特徴とする請求項７に記載の主装置。
【請求項１０】
前記認証処理部は、前記別の電話端末からのログイン要求に応じた前記ログイン中の電話端末のログアウトが確認された時点以降から前記ＭＡＣアドレス認証を無効にすることを特徴とする請求項９に記載の主装置。
【請求項１１】
前記認証処理部は、前記ログアウトが確認されたのち当該ログアウトした電話端末の存在をログイン要求元の電話端末のユーザに通知し、この通知に対する当該ユーザの応答が与えられた時点以降から前記ＭＡＣアドレス認証を無効にすることを特徴とする請求項１０に記載の主装置。
【請求項１２】
前記認証処理部は、前記別の電話端末からのログイン要求に応じた前記ログイン中の電話端末へのログアウト要求後、このログアウト要求への応答の無い状態が規定時間経過すると前記ＭＡＣアドレス認証を無効にすることを特徴とする請求項９に記載の主装置。
【請求項１３】
パケット通信網を介して電話通信の可能な複数の電話端末からのログイン要求をＭＡＣ（Media access control）アドレス認証により受け付ける装置における端末登録方法において、
前記ＭＡＣアドレス認証は、同じ内線番号による前記ログイン要求が複数生じた場合に、ログインを最初に許可した電話端末とは異なるＭＡＣアドレスの電話端末からのログインを拒否する認証方式であり、
前記装置は、ＭＡＣアドレスの異なる複数の電話端末からの同じ内線番号によるログインを同時排他的に許可する複数端末登録モードを指定可能であり、
前記ＭＡＣアドレス認証よりも前記複数端末登録モードを優先し、前記複数端末登録モードにおいては前記ＭＡＣアドレス認証を無効にすることを特徴とする端末登録方法。
【請求項１４】
前記ＭＡＣアドレス認証よりも前記複数端末登録モードを優先することを指定された内線番号に限り、前記複数端末登録モードにおいて前記ＭＡＣアドレス認証を無効にすることを特徴とする請求項１３に記載の端末登録方法。
【請求項１５】
ログイン中の電話端末と同じ内線番号による別の電話端末からのログイン要求が前記複数端末登録モードにおいて生じたとき、
前記別の電話端末からのログイン要求に対するパスワード照合が正常終了した時点以降から前記ＭＡＣアドレス認証を無効にすることを特徴とする請求項１３に記載の端末登録方法。
【請求項１６】
前記別の電話端末からのログイン要求に応じた前記ログイン中の電話端末のログアウトが確認された時点以降から前記ＭＡＣアドレス認証を無効にすることを特徴とする請求項１５に記載の端末登録方法。
【請求項１７】
前記ログアウトが確認されたのち当該ログアウトした電話端末の存在をログイン要求元の電話端末のユーザに通知し、この通知に対する当該ユーザの応答が与えられた時点以降から前記ＭＡＣアドレス認証を無効にすることを特徴とする請求項１６に記載の端末登録方法。
【請求項１８】
前記別の電話端末からのログイン要求に応じて前記ログイン中の電話端末にログアウトを要求し、
このログアウトの要求への応答の無い状態が規定時間経過すると前記ＭＡＣアドレス認証を無効にすることを特徴とする請求項１５に記載の端末登録方法。
【発明の詳細な説明】
【技術分野】
【０００１】
この発明は、構内内線電話システムなどとして用いられる電話システムと、その主装置および端末登録方法に関する。特にこの発明は、ボタン電話システムとＩＰ（Internet Protocol）電話端末とを組み合わせる方式の改良に関する。
【背景技術】
【０００２】
近年の電話システムはＩＰネットワークを利用して音声通話を行う、いわゆるＶｏＩＰ（Voice over IP）が主流となってきている。この種のシステムにはパーソナルコンピュータのそれと似た、ログイン／ログアウト機能を備えるものがある。この機能のもとでは電話端末からシステムにログインすると、ユーザは端末の所在によらずその端末を自分専用の端末として使用できるようになる。つまりボタン機能のオリジナルの設定、自分専用の電話帳データなどをユーザは自らの所在を気にすることなく利用できる。
【０００３】
ログイン操作に伴う電話端末の認証においてはＭＡＣアドレス認証という方式が一般的である（例えば特許文献１を参照）。この方式ではログイン操作において、電話端末の内線番号とパスワード、およびＭＡＣ（Media access control）アドレスが主装置に通知される。主装置はこれらの情報を参照し、認証ＯＫであればその旨を返信して端末のシステムへの登録が完了する。
【０００４】
ところで、別々の場所にある端末から同じ内線番号による登録を要求されることがある。よく利用される”番号持ち歩き”と称するサービス機能のもとでは頻繁に起こるケースである。このようなケースに対し例えば次の３通りの対応が考えられる。なお（現登録端末）は、”現時点で登録されている端末”を意味し、（新登録依頼端末）は”現登録端末と同じ番号で後から登録を要求した端末”を意味する。  
（１）新登録依頼端末を優先し、現登録端末の登録を削除する
（２）現登録端末に加えて新登録依頼端末も登録する
（３）新登録依頼端末が登録を依頼した時点で現登録端末が通話中であれば、新登録依頼端末の登録を規制する。
【特許文献１】特開２００５−１１７３５５号広報
【発明の開示】
【発明が解決しようとする課題】
【０００５】
ＭＡＣアドレス認証は（１）〜（３）のいずれよりも規制が厳しく、同じ内線番号、パスワードでログインしても、最初に登録を要求した一つの端末だけしか許可されない。複数端末の登録を許すには保守者のマニュアル操作によりＭＡＣアドレス認証を解除しなくてはならない。その一方でセキュリティの観点からはＭＡＣアドレス認証を採用するのが望ましく、何らかのかたちで利便性との両立を図れることが要望されている。さらには、ＭＡＣアドレス認証を解除するためのオペレータの手間や、操作忘れなども考慮する必要があり、何らかの技術開発が待たれている。
【０００６】
この発明は上記事情によりなされたもので、その目的は、オペレータのマニュアル操作を簡略化するとともにセキュリティと利便性との両立を図った電話システムとその主装置および端末登録方法を提供することにある。
【課題を解決するための手段】
【０００７】
上記目的を達成するためにこの発明の一態様によれば、パケット通信網を介して電話通信の可能な複数の電話端末と、前記パケット通信網を介して前記複数の電話端末からのログイン要求を受け付ける主装置とを具備する電話システムにおいて、前記主装置は、同じ内線番号による前記ログイン要求が複数生じた場合に、ログインを最初に許可した電話端末とは異なるＭＡＣ（Media access control）アドレスの電話端末からのログインを拒否するＭＡＣアドレス認証により、前記電話端末ごとにログイン認証を行う認証処理部と、ＭＡＣアドレスの異なる複数の電話端末からの同じ内線番号によるログインを同時排他的に許可する複数端末登録モードの指定を受け付けるモード指定部とを備え、前記認証処理部は、前記ＭＡＣアドレス認証よりも前記複数端末登録モードを優先し、前記複数端末登録モードにおいては前記ＭＡＣアドレス認証を無効にすることを特徴とする電話システムが提供される。
【０００８】
このような手段を講じることにより、内線番号ごとに複数の端末の登録が同時排他的に許される、複数端末登録モードを指定することができる。なお”同時排他的”とは、”複数の端末の時間を分けた登録は許されるが、それらが同時に登録されることはできない”ことを意味する。デフォルトでの認証方式にＭＡＣアドレス認証を用い、システムの稼働中に複数端末登録モードが指定されると、この複数端末登録モードのほうが優先的に取り扱われる。つまり主装置の処理によってＭＡＣアドレス認証が無効とされ、新登録依頼端末の認証が許可される。  
すなわちオペレータのマニュアル操作によらずとも、複数端末登録モードが指定されたことだけでＭＡＣアドレス認証が自動的に解除（オフ）されるようになる。従ってオペレータの操作が簡略化される。さらに、ＭＡＣアドレス認証と複数端末登録との競合を防ぐことができ、システムをスムーズに運用できるとともにセキュリティと利便性との両立を図ることも可能になる。
【発明の効果】
【０００９】
この発明によれば、オペレータのマニュアル操作を簡略化するとともにセキュリティと利便性との両立を図った電話システムとその主装置および端末登録方法を提供することができる。
【発明を実施するための最良の形態】
【００１０】
図１は、この発明に係わる電話システムの実施の形態を示すシステム図である。このシステムは、ＩＰパケットを伝送するネットワーク１００にいずれも接続されるサーバ装置１０と、ＩＰ電話機（IP terminal：ＩＰＴ）２０と、ソフトフォン端末（Soft IPT）３０とを備えて形成される。ネットワーク１００には端末２０，３０以外の電話端末も接続され、サーバ装置１０の制御のもとで端末間のＶｏＩＰ通信が実現される。
【００１１】
このうちサーバ装置１０とＩＰＴ２０とは、例えば同じオフィス内において共通のＬＡＮ（Local Area Network）に接続される。ソフトフォン端末３０はインターネットなどのＩＰネットワークを介して上記オフィス内のＬＡＮにアクセス可能である。例えば、ＩＰＴ２０のユーザが帰宅後に家庭（Ｈｏｍｅ）内のパソコン端末を電話機として使用し、同じ内線番号（ＤＮ）２０００を用いて業務を継続するといった形態が考えられる。
【００１２】
図２は、図１のサーバ装置１０の一実施の形態を示す機能ブロック図である。サーバ装置１０は、インタフェース部（Ｉ／Ｆ）１１、表示部１２、入出力部１３、データベース部１４、および、主制御部１５を備える。Ｉ／Ｆ１１はネットワーク１００に接続されてパケットの授受に関する処理を担う。表示部１２は入出力部１３とともにユーザインタフェースを提供し、ＧＵＩ（Graphical User Interface）環境を構築する。
【００１３】
主制御部１５は、この実施形態に係わる新たな処理機能として認証処理部１５ａと、モード指定部１５ｂと、優先度指定部１５ｃとを備える。認証処理部１５ａは、ネットワーク１００を介してログインを要求した端末を、ＭＡＣアドレス認証により認証する。ＭＡＣアドレス認証は世界で唯一のＭＡＣアドレスを用いて端末を認証する、セキュア性に優れる方式である。
【００１４】
詳しくは、ＭＡＣアドレス認証では、現登録端末がログアウトしたのち新登録依頼端末から現登録端末と同じ内線番号でのログインが再度要求された場合に、新登録依頼端末のＭＡＣアドレスが（ログアウト後の）現登録端末と同じでなければ、ログインが拒否される。つまり同じ内線番号によるログイン要求が複数生じると、ログインを最初に許可した電話端末とは異なるＭＡＣアドレスを持つ電話端末からのログインは、拒否される。ようするに同じ内線番号では同じ電話端末からしかログインできないことになる。もちろん、現登録端末のログイン中には新登録依頼端末のログインは拒否される。
【００１５】
モード指定部１５ｂは、サーバ装置１０の設定として”複数端末登録モード”の指定を、入出力部１３を用いたオペレータの操作により受け付ける。”複数端末登録モード”は、ＭＡＣアドレスの異なる複数の電話端末からの同じ内線番号によるログインを同時排他的に許可するモードである。つまりこのモードではＭＡＣアドレスが異なっていても、同じ内線番号のもとでの端末のログインが許可される。なおこのモードでも、現登録端末がログアウトした後でなければ新登録依頼端末はログインできない。
【００１６】
この実施形態では、ＭＡＣアドレス認証と複数端末登録モードとに相互に優先順位を設けることを新たに提案する。すなわちデフォルトの設定ではＭＡＣアドレス認証よりも複数端末登録モードの優先度を高くし、複数端末登録モードを設定された状態においてはＭＡＣアドレス認証を無効とする。さらにこの実施形態では、いずれの方式による認証を優先するかを内線番号ごとに個別に設定できるようにする。この機能は優先度指定部１５ｃおよびデータベース部１４の設定テーブル１４ａを用いて実現される。
【００１７】
優先度指定部１５ｃは、ＭＡＣアドレス認証よりも複数端末登録モードを優先する内線番号を指定するためのオペレータ操作を受け付け、指定内容に基づいて設定テーブル１４ａを更新しつつ管理する。設定テーブル１４ａは図３に示すように、内線番号ごとに、ＭＡＣ認証を設定されているか否かを指定するための欄と、複数登録モードの設定の有無を指定するための欄とが設けられる。例えば内線番号２０００、３０００、４０００、５０００にはいずれもＭＡＣ認証が設定されており、このうち複数登録モードを指定されているのは２０００、および４０００である。さらに、内線番号２０００については、複数登録モードを優先することが明示的に指定されている。従って内線番号２０００の認証にあたっては、ＭＡＣアドレス認証よりも複数登録モードが優先される。なお図３の模式図はそのままユーザインタフェースウインドウのデザインにも使用できる。次に上記構成における作用を説明する。
【００１８】
図４は、端末認証の際の処理手順の一例を示すシーケンス図である。以下の説明では現在登録中の端末をＩＰＴ２０とし、新登録依頼端末３０をソフトフォン端末３０とする。図４において、サーバ装置１０において内線番号２０００にＭＡＣ認証が設定される（ステップＳ１）。このモードにおいては、登録の無い状態から最初に登録された端末のＭＡＣアドレスが使用される。この状態からＩＰＴ２０がサーバ装置１０に内線番号：２０００で登録を要求するとサーバ装置１０はＩＰＴ２０を登録し（ステップＳ２）、ＩＰＴ２０のＭＡＣアドレスを、その後の登録時の認証に使用するＭＡＣアドレスとして認識する。ここでは図５に示すようなデータがサーバ装置１０に保持される。図５にはＩＰＴ２０のＭＡＣアドレスが０１−０２−０３−０４−０５−０６であることが例示される。
【００１９】
次に、内線番号２０００について、複数登録モードがサーバ装置１０において設定されたとする（ステップＳ４）。そうするとサーバ装置１０は図６に示すように、内線番号２０００について複数登録モード指定を示すデータを、パスワード（１２３４５６７）とともに保持する。
【００２０】
図７は、図４のステップＳ４に関わる処理の一例を示すフローチャートである。複数登録モードが設定されると（ステップＳ５）、サーバ装置１０は複数登録モードを設定された内線番号（２０００）について、まずＭＡＣ認証の設定の有無をチェックする（ステップＳ１０）。図３の設定テーブル１４ａによればＭＡＣ認証が設定されているので、サーバ装置１０はＭＡＣ認証よりも複数登録モードにおける新登録依頼の処理を優先することを決定し（ステップＳ３０）、この過程を経て複数登録モードが設定される。なおＭＡＣ認証が設定されていなければ（内線番号１０００）そのまま複数登録モードが有効になる。
【００２１】
図４に戻り、新登録依頼端末としてのソフトフォン端末３０から内線番号：２０００による登録要求が生じたとする。そうすると、この実施形態ではソフトフォン端末３０を登録する処理がＭＡＣアドレス認証よりも優先され、パスワード要求に応じたパスワード付き登録要求がソフトフォン端末３０から返送される。そうして、サーバ装置１０においてパスワード照合が行われ、これが正常終了するとパスワード認証応答がソフトフォン端末３０に返送される。次いで現在登録中のＩＰＴ２０に対しログアウト通知が送られ、ログアウト確認メッセージが返送されると、それ以降からソフトフォン端末３０が登録状態になる。
【００２２】
既存の技術ではＩＰＴ２０に対してＭＡＣアドレス認証が設定されていれば、複数登録モードを指定されたとしても依然としてＭＡＣアドレス認証が有効のままとなり、オペレータによるＭＡＣアドレス認証の解除操作を経なければソフトフォン端末３０が登録できないことになる。
【００２３】
これに対しこの実施形態では、サーバ装置１０に複数登録モードが設定されると、そのことをもってＭＡＣアドレス認証が自動的に無効化される。これにより複数登録モードを設定した時点で、サーバ装置１０のオペレータがＭＡＣ認証が設定されていることを意識することなく、新登録依頼の処理が優先されることになる。従ってオペレータのマニュアル操作を省いて使い勝手を良くするとともに、操作ミスの虞も無くすることができる。さらにはＭＡＣアドレス認証と複数登録モードとが競合することなく、これらの整合を取ることが可能になる。いわば端末認証時における既存の対応が拡張され、より一層の便宜の向上を図ることができる。
【００２４】
さらにこの実施形態では、内線番号ごとにＭＡＣ認証と新規登録とのいずれを優先するかを示すデータを、例えば設定テーブル１４ａのかたちでサーバ装置１０に持たせるようにしている。すなわち新規登録の優先を全ての内線番号に当てはめるのでなく、選択性を持たせるようにしている。このようにすることで、例えば内線番号２０００には新規登録を優先するが内線番号４０００についてはこれを当てはめず、オペレータが意識的にＭＡＣ認証をオフにするまでＭＡＣ認証が優先されるようにする、といった運用を実現できる。つまり、指定された内線番号に限ってＭＡＣアドレス認証を無効にすることができる。なおＭＡＣ認証と新規登録とのいずれを優先するかは設定テーブル１４ａにおいて他の情報とともに管理しても良いし、あるいは図８のように、内線番号ごとに指定するのみでも良い。
【００２５】
さらに、ＭＡＣ認証より新登録依頼の処理が優先されることが決定されるタイミングとしては、図４のステップＳ４に限らず他の時点であっても良い。例えば図９に示すように複数登録モードの設定ののち新登録依頼端末からの登録要求があり、パスワード照合が正常終了して認証が完了した時点以降から、ＭＡＣアドレスによる認証を無効にするようにしても良い（ステップＳ６）。
【００２６】
あるいは図１０に示すように、パスワード認証が完了し、そのうえでさらに現登録端末にログアウトを要求し、現登録端末のログアウトがサーバ装置１０において確認された時点以降からＭＡＣアドレスによる認証を無効にするようにしても良い（ステップＳ７）。あるいはログアウト要求ののち応答が無く、規定時間経過してタイムアウトになった場合にＭＡＣアドレスによる認証を無効にするようにしても良い（ステップＳ７）。
【００２７】
さらには図１１に示すように、現登録端末のログアウトが確認されたのち、そのうえでさらに現登録端末の存在を新登録依頼端末のユーザに通知し、既存ユーザが登録中であった旨を知らせたうえでデータの上書き要求を依頼する。そうして、この通知に対するユーザの応答が与えられた時点以降から、前記ＭＡＣアドレス認証を無効にするようにしても良い（ステップＳ８）。このように、ＭＡＣアドレス認証の無効化に更なる条件を順次付加して行くことで規制をより厳しくすることができ、セキュリティ面で有利となる。
【００２８】
以上のことから、オペレータのマニュアル操作を簡略化するとともにセキュリティと利便性との両立を図った電話システムとその主装置および端末登録方法を提供することが可能となる。  
なお、この発明は上記実施の形態に限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００２９】
【図１】この発明に係わる電話システムの実施の形態を示すシステム図。
【図２】図１のサーバ装置１０の一実施の形態を示す機能ブロック図。
【図３】図２の設定テーブル１４ａの管理内容を模式的に示す図。
【図４】この発明の実施の形態における端末認証の際の処理手順の一例を示すシーケンス図。
【図５】ＭＡＣアドレス認証においてサーバ装置１０に保持されるデータの一例を示す図。
【図６】複数登録モードにおいてサーバ装置１０に保持されるデータの一例を示す図。
【図７】図４のステップＳ４に関わる処理の一例を示すフローチャート。
【図８】ＭＡＣ認証と複数登録モードにおける新規登録とのいずれを優先するかを管理するためのデータの他の例を示す図。
【図９】この発明の実施の形態における端末認証の際の処理手順の他の例を示すシーケンス図。
【図１０】この発明の実施の形態における端末認証の際の処理手順の別の例を示すシーケンス図。
【図１１】この発明の実施の形態における端末認証の際の処理手順のさらに別の例を示すシーケンス図。
【符号の説明】
【００３０】
１００…ネットワーク、１０…サーバ装置、２０…ＩＰ電話機、３０…ソフトフォン端末、１１…インタフェース部（Ｉ／Ｆ）、１２…表示部、１３…入出力部、１４…データベース部、１４ａ…設定テーブル、１５…主制御部、１５ａ…認証処理部、１５ｂ…モード指定部、１５ｃ…優先度指定部
【要約】
【課題】オペレータのマニュアル操作を簡略化するとともにセキュリティと利便性との両立を図ること。
【解決手段】サーバ装置１０に複数登録モードが設定されると、そのことをもってＭＡＣアドレス認証を自動的に無効化する。これにより複数登録モードを設定した時点で、サーバ装置１０のオペレータがＭＡＣ認証が設定されていることを意識することなく、新登録依頼の処理が優先されることになる。従ってオペレータのマニュアル操作を省いて使い勝手を良くするとともに、操作ミスの虞も無くすることができる。
【選択図】      図４【図１】
0004286889.tif 000002
【図２】
0004286889.tif 000003
【図３】
0004286889.tif 000004
【図４】
0004286889.tif 000005
【図５】
0004286889.tif 000006
【図６】
0004286889.tif 000007
【図７】
0004286889.tif 000008
【図８】
0004286889.tif 000009
【図９】
0004286889.tif 000010
【図１０】
0004286889.tif 000011
【図１１】
0004286889.tif 000012